(57)【特許請求の範囲】
【請求項１】
第１空気調和用通信装置と、第２空気調和用通信装置と、室内機と、室外機とを備え、
前記第１空気調和用通信装置は、
設定された第１温度を示す第１設定温度情報及び設定された第１湿度を示す第１設定湿度情報を記憶する第１メモリと、
前記第１空気調和用通信装置の周囲の温度を計測する第１温度計と、
前記第１空気調和用通信装置の周囲の湿度を計測する第１湿度計と、
前記第１空気調和用通信装置の位置を検出する第１位置検出機構と、
前記第１メモリに記憶された前記第１設定温度情報、前記第１メモリに記憶された前記第１設定湿度情報、前記第１温度計によって計測された温度を示す第１計測温度情報、前記第１湿度計によって計測された湿度を示す第１計測湿度情報及び前記第１位置検出機構によって検出された位置を示す第１位置情報を前記室内機に送信する機能を有する第１送信装置とを有し、
前記第２空気調和用通信装置は、
設定された第２温度を示す第２設定温度情報及び設定された第２湿度を示す第２設定湿度情報を記憶する第２メモリと、
前記第２空気調和用通信装置の周囲の温度を計測する第２温度計と、
前記第２空気調和用通信装置の周囲の湿度を計測する第２湿度計と、
前記第２空気調和用通信装置の位置を検出する第２位置検出機構と、
前記第２メモリに記憶された前記第２設定温度情報、前記第２メモリに記憶された前記第２設定湿度情報、前記第２温度計によって計測された温度を示す第２計測温度情報、前記第２湿度計によって計測された湿度を示す第２計測湿度情報及び前記第２位置検出機構によって検出された位置を示す第２位置情報を前記室内機に送信する機能を有する第２送信装置とを有し、
前記室内機は、
前記第１送信装置から前記第１設定温度情報、前記第１設定湿度情報、前記第１計測温度情報、前記第１計測湿度情報及び前記第１位置情報を受信すると共に、前記第２送信装置から前記第２設定温度情報、前記第２設定湿度情報、前記第２計測温度情報、前記第２計測湿度情報及び前記第２位置情報を受信する受信装置と、
前記受信装置によって受信された前記第１設定温度情報、前記第１設定湿度情報、前記第１計測温度情報、前記第１計測湿度情報及び前記第１位置情報、又は前記受信装置によって受信された前記第２設定温度情報、前記第２設定湿度情報、前記第２計測温度情報、前記第２計測湿度情報及び前記第２位置情報をもとに冷凍サイクル装置を制御する制御装置とを有し、
前記冷凍サイクル装置の一部は前記室内機に含まれ、前記冷凍サイクル装置の残部は前記室外機に含まれ、
前記制御装置は、
前記第１空気調和用通信装置の前記第１設定温度情報が示す前記第１温度と前記第１空気調和用通信装置の前記第１計測温度情報が示す温度との差である第１の差が、前記第２空気調和用通信装置の前記第２設定温度情報が示す前記第２温度と前記第２空気調和用通信装置の前記第２計測温度情報が示す温度との差である第２の差より大きい場合、又は、前記第１空気調和用通信装置の前記第１設定湿度情報が示す前記第１湿度と前記第１空気調和用通信装置の前記第１計測湿度情報が示す湿度との差である第３の差が、前記第２空気調和用通信装置の前記第２設定湿度情報が示す前記第２湿度と前記第２空気調和用通信装置の前記第２計測湿度情報が示す湿度との差である第４の差より大きい場合、前記第１空気調和用通信装置からの前記第１設定温度情報、前記第１設定湿度情報、前記第１計測温度情報、前記第１計測湿度情報及び前記第１位置情報をもとに前記冷凍サイクル装置を制御し、
前記第１の差が前記第２の差以下である場合、又は、前記第３の差が前記第４の差以下である場合、前記第２空気調和用通信装置からの前記第２設定温度情報、前記第２設定湿度情報、前記第２計測温度情報、前記第２計測湿度情報及び前記第２位置情報をもとに前記冷凍サイクル装置を制御する
ことを特徴とする空気調和システム。
【請求項２】
第１空気調和用通信装置と、第２空気調和用通信装置と、室内機と、室外機とを備え、
前記第１空気調和用通信装置は、
設定された第１温度を示す第１設定温度情報を記憶する第１メモリと、
前記第１空気調和用通信装置の周囲の温度を計測する第１温度計と、
前記第１空気調和用通信装置の位置を検出する第１位置検出機構と、
前記第１メモリに記憶された前記第１設定温度情報、前記第１温度計によって計測された温度を示す第１計測温度情報及び前記第１位置検出機構によって検出された位置を示す第１位置情報を前記室内機に送信する機能を有する第１送信装置とを有し、
前記第２空気調和用通信装置は、
設定された第２温度を示す第２設定温度情報を記憶する第２メモリと、
前記第２空気調和用通信装置の周囲の温度を計測する第２温度計と、
前記第２空気調和用通信装置の位置を検出する第２位置検出機構と、
前記第２メモリに記憶された前記第２設定温度情報、前記第２温度計によって計測された温度を示す第２計測温度情報及び前記第２位置検出機構によって検出された位置を示す第２位置情報を前記室内機に送信する機能を有する第２送信装置とを有し、
前記室内機は、
前記第１送信装置から前記第１設定温度情報、前記第１計測温度情報及び前記第１位置情報を受信すると共に、前記第２送信装置から前記第２設定温度情報、前記第２計測温度情報及び前記第２位置情報を受信する受信装置と、
前記受信装置によって受信された前記第１設定温度情報、前記第１計測温度情報及び前記第１位置情報、又は前記受信装置によって受信された前記第２設定温度情報、前記第２計測温度情報及び前記第２位置情報をもとに冷凍サイクル装置を制御する制御装置とを有し、
前記冷凍サイクル装置の一部は前記室内機に含まれ、前記冷凍サイクル装置の残部は前記室外機に含まれ、
前記制御装置は、
前記第１空気調和用通信装置の前記第１設定温度情報が示す前記第１温度と前記第１空気調和用通信装置の前記第１計測温度情報が示す温度との差である第１の差が、前記第２空気調和用通信装置の前記第２設定温度情報が示す前記第２温度と前記第２空気調和用通信装置の前記第２計測温度情報が示す温度との差である第２の差より大きい場合、前記第１空気調和用通信装置からの前記第１設定温度情報、前記第１計測温度情報及び前記第１位置情報をもとに前記冷凍サイクル装置を制御し、
前記第１の差が前記第２の差以下である場合、前記第２空気調和用通信装置からの前記第２設定温度情報、前記第２計測温度情報及び前記第２位置情報をもとに前記冷凍サイクル装置を制御する
ことを特徴とする空気調和システム。
【請求項３】
第１空気調和用通信装置と、第２空気調和用通信装置と、室内機と、室外機とを備え、
前記第１空気調和用通信装置は、
設定された第１湿度を示す第１設定湿度情報を記憶する第１メモリと、
前記第１空気調和用通信装置の周囲の湿度を計測する第１湿度計と、
前記第１空気調和用通信装置の位置を検出する第１位置検出機構と、
前記第１メモリに記憶された前記第１設定湿度情報、前記第１湿度計によって計測された湿度を示す第１計測湿度情報及び前記第１位置検出機構によって検出された位置を示す第１位置情報を前記室内機に送信する機能を有する第１送信装置とを有し、
前記第２空気調和用通信装置は、
設定された第２湿度を示す第２設定湿度情報を記憶する第２メモリと、
前記第２空気調和用通信装置の周囲の湿度を計測する第２湿度計と、
前記第２空気調和用通信装置の位置を検出する第２位置検出機構と、
前記第２メモリに記憶された前記第２設定湿度情報、前記第２湿度計によって計測された湿度を示す第２計測湿度情報及び前記第２位置検出機構によって検出された位置を示す第２位置情報を前記室内機に送信する機能を有する第２送信装置とを有し、
前記室内機は、
前記第１送信装置から前記第１設定湿度情報、前記第１計測湿度情報及び前記第１位置情報を受信すると共に、前記第２送信装置から前記第２設定湿度情報、前記第２計測湿度情報及び前記第２位置情報を受信する受信装置と、
前記受信装置によって受信された前記第１設定湿度情報、前記第１計測湿度情報及び前記第１位置情報、又は前記受信装置によって受信された前記第２設定湿度情報、前記第２計測湿度情報及び前記第２位置情報をもとに冷凍サイクル装置を制御する制御装置とを有し、
前記冷凍サイクル装置の一部は前記室内機に含まれ、前記冷凍サイクル装置の残部は前記室外機に含まれ、
前記制御装置は、
前記第１空気調和用通信装置の前記第１設定湿度情報が示す前記第１湿度と前記第１空気調和用通信装置の前記第１計測湿度情報が示す湿度との差である第３の差が、前記第２空気調和用通信装置の前記第２設定湿度情報が示す前記第２湿度と前記第２空気調和用通信装置の前記第２計測湿度情報が示す湿度との差である第４の差より大きい場合、前記第１空気調和用通信装置からの前記第１設定湿度情報、前記第１計測湿度情報及び前記第１位置情報をもとに前記冷凍サイクル装置を制御し、
前記第３の差が前記第４の差以下である場合、前記第２空気調和用通信装置からの前記第２設定湿度情報、前記第２計測湿度情報及び前記第２位置情報をもとに前記冷凍サイクル装置を制御する
ことを特徴とする空気調和システム。
【請求項４】
室内機と、室外機とを備える空気調和機であって、
前記室内機は、
前記空気調和機に空気調和を行わせるための情報を第１空気調和用通信装置及び第２空気調和用通信装置から受信する受信装置と、
前記受信装置によって受信された前記情報をもとに冷凍サイクル装置を制御する制御装置とを有し、
前記情報は、前記第１空気調和用通信装置に対して設定された第１温度を示す第１設定温度情報と、前記第１空気調和用通信装置の周囲の温度を示す第１計測温度情報と、前記第１空気調和用通信装置の位置を示す第１位置情報と、前記第２空気調和用通信装置に対して設定された第２温度を示す第２設定温度情報と、前記第２空気調和用通信装置の周囲の温度を示す第２計測温度情報と、前記第２空気調和用通信装置の位置を示す第２位置情報とを含み、
前記冷凍サイクル装置の一部は前記室内機に含まれ、前記冷凍サイクル装置の残部は前記室外機に含まれ、
前記受信装置は、
第１空気調和用通信装置から、前記第１空気調和用通信装置に対して設定された前記第１温度を示す前記第１設定温度情報と、前記第１空気調和用通信装置の周囲の温度を示す前記第１計測温度情報と、前記第１空気調和用通信装置の位置を示す前記第１位置情報とを受信し、
第２空気調和用通信装置から、前記第２空気調和用通信装置に対して設定された前記第２温度を示す前記第２設定温度情報と、前記第２空気調和用通信装置の周囲の温度を示す前記第２計測温度情報と、前記第２空気調和用通信装置の位置を示す前記第２位置情報とを受信し、
前記制御装置は、
前記第１空気調和用通信装置の前記第１設定温度情報が示す前記第１温度と前記第１空気調和用通信装置の前記第１計測温度情報が示す温度との差である第１の差が、前記第２空気調和用通信装置の前記第２設定温度情報が示す前記第２温度と前記第２空気調和用通信装置の前記第２計測温度情報が示す温度との差である第２の差より大きい場合、前記第１空気調和用通信装置からの前記第１設定温度情報、前記第１計測温度情報及び前記第１位置情報をもとに前記冷凍サイクル装置を制御し、
前記第１の差が前記第２の差以下である場合、前記第２空気調和用通信装置からの前記第２設定温度情報、前記第２計測温度情報及び前記第２位置情報をもとに前記冷凍サイクル装置を制御する
ことを特徴とする空気調和機。
【請求項５】
室内機と、室外機とを備える空気調和機であって、
前記室内機は、
前記空気調和機に空気調和を行わせるための情報を第１空気調和用通信装置及び第２空気調和用通信装置から受信する受信装置と、
前記受信装置によって受信された前記情報をもとに冷凍サイクル装置を制御する制御装置とを有し、
前記情報は、前記第１空気調和用通信装置に対して設定された第１温度を示す第１設定温度情報と、前記第１空気調和用通信装置に対して設定された第１湿度を示す第１設定湿度情報と、前記第１空気調和用通信装置の周囲の温度を示す第１計測温度情報と、前記第１空気調和用通信装置の周囲の湿度を示す第１計測湿度情報と、前記第１空気調和用通信装置の位置を示す第１位置情報と、前記第２空気調和用通信装置に対して設定された第２温度を示す第２設定温度情報と、前記第２空気調和用通信装置に対して設定された第２湿度を示す第２設定湿度情報と、前記第２空気調和用通信装置の周囲の温度を示す第２計測温度情報と、前記第２空気調和用通信装置の周囲の湿度を示す第２計測湿度情報と、前記第２空気調和用通信装置の位置を示す第２位置情報とを含み、
前記冷凍サイクル装置の一部は前記室内機に含まれ、前記冷凍サイクル装置の残部は前記室外機に含まれ、
前記受信装置は、
第１空気調和用通信装置から、前記第１空気調和用通信装置に対して設定された前記第１温度を示す前記第１設定温度情報と、前記第１空気調和用通信装置に対して設定された前記第１湿度を示す前記第１設定湿度情報と、前記第１空気調和用通信装置の周囲の温度を示す前記第１計測温度情報と、前記第１空気調和用通信装置の周囲の湿度を示す前記第１計測湿度情報と、前記第１空気調和用通信装置の位置を示す前記第１位置情報を受信し、
第２空気調和用通信装置から、前記第２空気調和用通信装置に対して設定された前記第２温度を示す前記第２設定温度情報と、前記第２空気調和用通信装置に対して設定された前記第２湿度を示す前記第２設定湿度情報と、前記第２空気調和用通信装置の周囲の温度を示す前記第２計測温度情報と、前記第２空気調和用通信装置の周囲の湿度を示す前記第２計測湿度情報と、前記第２空気調和用通信装置の位置を示す前記第２位置情報を受信し、
前記制御装置は、
前記第１空気調和用通信装置の前記第１設定温度情報が示す前記第１温度と前記第１空気調和用通信装置の前記第１計測温度情報が示す温度との差である第１の差が、前記第２空気調和用通信装置の前記第２設定温度情報が示す前記第２温度と前記第２空気調和用通信装置の前記第２計測温度情報が示す温度との差である第２の差より大きい場合、又は、前記第１空気調和用通信装置の前記第１設定湿度情報が示す前記第１湿度と前記第１空気調和用通信装置の前記第１計測湿度情報が示す湿度との差である第３の差が、前記第２空気調和用通信装置の前記第２設定湿度情報が示す前記第２湿度と前記第２空気調和用通信装置の前記第２計測湿度情報が示す湿度との差である第４の差より大きい場合、前記第１空気調和用通信装置からの前記第１設定温度情報、前記第１設定湿度情報、前記第１計測温度情報、前記第１計測湿度情報及び前記第１位置情報をもとに前記冷凍サイクル装置を制御し、
前記第１の差が前記第２の差以下である場合、又は、前記第３の差が前記第４の差以下である場合、前記第２空気調和用通信装置からの前記第２設定温度情報、前記第２設定湿度情報、前記第２計測温度情報、前記第２計測湿度情報及び前記第２位置情報をもとに前記冷凍サイクル装置を制御する
ことを特徴とする空気調和機。
【請求項６】
室内機と、室外機とを備える空気調和機であって、
前記室内機は、
前記空気調和機に空気調和を行わせるための情報を第１空気調和用通信装置及び第２空気調和用通信装置から受信する受信装置と、
前記受信装置によって受信された前記情報をもとに冷凍サイクル装置を制御する制御装置とを有し、
前記情報は、前記第１空気調和用通信装置に対して設定された第１湿度を示す第１設定湿度情報と、前記第１空気調和用通信装置の周囲の湿度を示す第１計測湿度情報と、前記第１空気調和用通信装置の位置を示す第１位置情報と、前記第２空気調和用通信装置に対して設定された第２湿度を示す第２設定湿度情報と、前記第２空気調和用通信装置の周囲の湿度を示す第２計測湿度情報と、前記第２空気調和用通信装置の位置を示す第２位置情報とを含み、
前記冷凍サイクル装置の一部は前記室内機に含まれ、前記冷凍サイクル装置の残部は前記室外機に含まれ、
前記受信装置は、
第１空気調和用通信装置から、前記第１空気調和用通信装置に対して設定された前記第１湿度を示す前記第１設定湿度情報と、前記第１空気調和用通信装置の周囲の湿度を示す前記第１計測湿度情報と、前記第１空気調和用通信装置の位置を示す前記第１位置情報とを受信し、
第２空気調和用通信装置から、前記第２空気調和用通信装置に対して設定された前記第２湿度を示す前記第２設定湿度情報と、前記第２空気調和用通信装置の周囲の湿度を示す前記第２計測湿度情報と、前記第２空気調和用通信装置の位置を示す前記第２位置情報とを受信し、
前記制御装置は、
前記第１空気調和用通信装置の前記第１設定湿度情報が示す前記第１湿度と前記第１空気調和用通信装置の前記第１計測湿度情報が示す湿度との差である第３の差が、前記第２空気調和用通信装置の前記第２設定湿度情報が示す前記第２湿度と前記第２空気調和用通信装置の前記第２計測湿度情報が示す湿度との差である第４の差より大きい場合、前記第１空気調和用通信装置からの前記第１設定湿度情報、前記第１計測湿度情報及び前記第１位置情報をもとに前記冷凍サイクル装置を制御し、
前記第３の差が前記第４の差以下である場合、前記第２空気調和用通信装置からの前記第２設定湿度情報、前記第２計測湿度情報及び前記第２位置情報をもとに前記冷凍サイクル装置を制御する
ことを特徴とする空気調和機。
【発明の詳細な説明】
【技術分野】
【０００１】
本発明は、空気調和を行うための空気調和システム、空気調和用通信装置及び空気調和機に関する。
【背景技術】
【０００２】
従来、空気調和の対象の空間に存在する人をカメラにより検出し、検出結果をもとに空気調和を行う空気調和機が提案されている（例えば、特許文献１参照）。また従来、熱センサを用いて人を検出する技術も提案されている（例えば、特許文献２参照）。また従来、温度センサが設けられている室内機を有し、温度センサにより空気調和の対象の空間の温度を検出して空気調和を行う空気調和機も提案されている。
【先行技術文献】
【特許文献】
【０００３】
【特許文献１】特開２０１６−８０５５０号公報
【特許文献２】特開２００１−５１０６７号公報
【発明の概要】
【発明が解決しようとする課題】
【０００４】
しかしながら、上記のカメラにより人を検出して検出結果をもとに空気調和を行う空気調和機は、空気調和機を構成する室内機とユーザとの間に障害物が存在する場合、人を検出することができないので、ユーザが希望する温度を実現する空気調和を行うことができない。熱センサを用いて人を検出する技術を室内機に適用した場合も、室内機とユーザとの間に障害物が存在するとき、空気調和機は、人を検出することができないので、ユーザが希望する温度を実現する空気調和を行うことができない。【０００５】
温度センサにより空気調和の対象の空間の温度を検出する場合、検出された温度とユーザが希望する温度とが異なることがある。その場合、空気調和機はユーザが希望する温度を実現する空気調和を行うことができない。【０００６】
本発明は、上記に鑑みてなされたものであって、ユーザが希望する温度の空気調和を実現する空気調和システムを得ることを目的とする。
【課題を解決するための手段】
【０００７】
上述した課題を解決し、目的を達成するために、本発明に係る空気調和システムは、第１空気調和用通信装置と、第２空気調和用通信装置と、室内機と、室外機とを有する。前記第１空気調和用通信装置は、設定された第１温度を示す第１設定温度情報及び設定された第１湿度を示す第１設定湿度情報を記憶する第１メモリと、前記第１空気調和用通信装置の周囲の温度を計測する第１温度計と、前記第１空気調和用通信装置の周囲の湿度を計測する第１湿度計と、前記第１空気調和用通信装置の位置を検出する第１位置検出機構と、前記第１メモリに記憶された前記第１設定温度情報、前記第１メモリに記憶された前記第１設定湿度情報、前記第１温度計によって計測された温度を示す第１計測温度情報、前記第１湿度計によって計測された湿度を示す第１計測湿度情報及び前記第１位置検出機構によって検出された位置を示す第１位置情報を前記室内機に送信する機能を有する第１送信装置とを有する。前記第２空気調和用通信装置は、設定された第２温度を示す第２設定温度情報及び設定された第２湿度を示す第２設定湿度情報を記憶する第２メモリと、前記第２空気調和用通信装置の周囲の温度を計測する第２温度計と、前記第２空気調和用通信装置の周囲の湿度を計測する第２湿度計と、前記第２空気調和用通信装置の位置を検出する第２位置検出機構と、前記第２メモリに記憶された前記第２設定温度情報、前記第２メモリに記憶された前記第２設定湿度情報、前記第２温度計によって計測された温度を示す第２計測温度情報、前記第２湿度計によって計測された湿度を示す第２計測湿度情報及び前記第２位置検出機構によって検出された位置を示す第２位置情報を前記室内機に送信する機能を有する第２送信装置とを有する。前記室内機は、前記第１送信装置から前記第１設定温度情報、前記第１設定湿度情報、前記第１計測温度情報、前記第１計測湿度情報及び前記第１位置情報を受信すると共に、前記第２送信装置から前記第２設定温度情報、前記第２設定湿度情報、前記第２計測温度情報、前記第２計測湿度情報及び前記第２位置情報を受信する受信装置と、前記受信装置によって受信された前記第１設定温度情報、前記第１設定湿度情報、前記第１計測温度情報、前記第１計測湿度情報及び前記第１位置情報、又は前記受信装置によって受信された前記第２設定温度情報、前記第２設定湿度情報、前記第２計測温度情報、前記第２計測湿度情報及び前記第２位置情報をもとに冷凍サイクル装置を制御する制御装置とを有する。前記冷凍サイクル装置の一部は前記室内機に含まれ、前記冷凍サイクル装置の残部は前記室外機に含まれる。前記制御装置は、前記第１空気調和用通信装置の前記第１設定温度情報が示す前記第１温度と前記第１空気調和用通信装置の前記第１計測温度情報が示す温度との差である第１の差が、前記第２空気調和用通信装置の前記第２設定温度情報が示す前記第２温度と前記第２空気調和用通信装置の前記第２計測温度情報が示す温度との差である第２の差より大きい場合、又は、前記第１空気調和用通信装置の前記第１設定湿度情報が示す前記第１湿度と前記第１空気調和用通信装置の前記第１計測湿度情報が示す湿度との差である第３の差が、前記第２空気調和用通信装置の前記第２設定湿度情報が示す前記第２湿度と前記第２空気調和用通信装置の前記第２計測湿度情報が示す湿度との差である第４の差より大きい場合、前記第１空気調和用通信装置からの前記第１設定温度情報、前記第１設定湿度情報、前記第１計測温度情報、前記第１計測湿度情報及び前記第１位置情報をもとに前記冷凍サイクル装置を制御する。前記制御装置は、前記第１の差が前記第２の差以下である場合、又は、前記第３の差が前記第４の差以下である場合、前記第２空気調和用通信装置からの前記第２設定温度情報、前記第２設定湿度情報、前記第２計測温度情報、前記第２計測湿度情報及び前記第２位置情報をもとに前記冷凍サイクル装置を制御する。
【発明の効果】
【０００８】
本発明に係る空気調和システムは、ユーザが希望する温度の空気調和を実現することができるという効果を奏する。
【図面の簡単な説明】
【０００９】
【図１】実施の形態１に係る空気調和システムの構成を示す図
【図２】実施の形態１に係る空気調和システムが有する空気調和用通信装置の送信装置が、空気調和システムが有する室内機に送信する通信データの内容を示す図
【図３】実施の形態１に係る空気調和システムが有する空気調和用通信装置の動作の手順を示すフローチャート
【図４】実施の形態１に係る空気調和システムが有する空気調和用通信装置に含まれる入力部、受付部、データ生成部、温度計、湿度計、位置検出機構及び送信装置を構成する少なくとも一部の構成要素が処理回路によって実現される場合の処理回路を示す図
【図５】実施の形態１に係る空気調和システムが有する空気調和用通信装置に含まれる入力部、受付部、温度計、湿度計、位置検出機構及び送信装置の少なくとも一部の機能がプロセッサによって実現される場合のプロセッサを示す図
【図６】実施の形態２に係る空気調和システムの構成を示す図
【図７】実施の形態２に係る空気調和システムが有する第１空気調和用通信装置の送信装置が、空気調和システムが有する室内機に送信する通信データの内容を示す図
【発明を実施するための形態】
【００１０】
以下に、本発明の実施の形態に係る空気調和システム、空気調和用通信装置及び空気調和機を図面に基づいて詳細に説明する。なお、この実施の形態によりこの発明が限定されるものではない。
【００１１】
実施の形態１．
まず、実施の形態１に係る空気調和システム１の構成を説明する。図１は、実施の形態１に係る空気調和システム１の構成を示す図である。空気調和システム１は、空気調和機２と、空気調和用通信装置３とを有する。空気調和機２は、室内機４と、室外機５とを有する。空気調和用通信装置３は、空気調和機２と有線で接続されていない。空気調和用通信装置３は、ワイヤレスの端末装置である。更に言うと、空気調和用通信装置３は、空気調和機２に空気調和を行わせるための情報を、空気調和機２を構成する室内機４に無線で送信することができる装置である。
【００１２】
空気調和用通信装置３は、空気調和システム１のユーザが希望する温度及び湿度を示す情報を設定するための装置であって、ユーザが上記の温度及び湿度を示す情報を空気調和用通信装置３に入力するための入力部３１を有する。例えば、入力部３１は、空気調和用通信装置３の筐体の表面に設けられているボタンである。空気調和用通信装置３は、ユーザが入力部３１を用いて入力した温度及び湿度を示す情報を受け付ける受付部３２を更に有する。つまり、受付部３２は、空気調和用通信装置３に対して設定された温度を示す設定温度情報と、空気調和用通信装置３に対して設定された湿度を示す設定湿度情報とを受け付ける。
【００１３】
空気調和用通信装置３は、受付部３２によって受け付けられた情報を記憶するメモリ３３ａを有するマイクロコンピュータ３３を更に有する。つまり、メモリ３３ａは、空気調和用通信装置３に対して設定された温度を示す設定温度情報と、空気調和用通信装置３に対して設定された湿度を示す設定湿度情報とを記憶する。
【００１４】
空気調和用通信装置３は、空気調和用通信装置３の周囲の温度を計測する温度計３４と、空気調和用通信装置３の周囲の湿度を計測する湿度計３５とを更に有する。空気調和用通信装置３の周囲は、空気調和用通信装置３を中心にして空気調和用通信装置３からあらかじめ決められた距離の範囲内の空間である。あらかじめ決められた距離の一例は、２メートルである。温度計３４及び湿度計３５は、計測を常時行う。メモリ３３ａは、温度計３４によって計測された温度を示す情報と、湿度計３５によって計測された湿度を示す情報とを更に記憶する。
【００１５】
空気調和用通信装置３は、空気調和用通信装置３の位置を検出する位置検出機構３６を更に有する。位置検出機構３６は、例えばグローバルポジショニングシステムを用いて空気調和用通信装置３の位置を検出する。メモリ３３ａは、位置検出機構３６によって検出された位置を示す情報を更に記憶する。
【００１６】
マイクロコンピュータ３３は、メモリ３３ａに記憶された情報をもとに空気調和用通信装置３から室内機４に送信される通信データを生成するデータ生成部３３ｂの機能を更に有する。空気調和用通信装置３は、データ生成部３３ｂによって実行されるステップが結果的に実行されることになるプログラムを記憶する記憶部３７を更に有する。記憶部３７が記憶するプログラムは、データ生成部３３ｂが実行する手順又は方法をマイクロコンピュータ３３に実行させるものであるともいえる。記憶部３７は、例えば、ＲＡＭ（Random  Access  Memory）、ＲＯＭ（Read  Only  Memory）、フラッシュメモリ、ＥＰＲＯＭ（Erasable  Programmable  Read  Only  Memory）、ＥＥＰＲＯＭ（Electrically  Erasable  Programmable  Read-Only  Memory）等の不揮発性又は揮発性の半導体メモリ等である。
【００１７】
空気調和用通信装置３は、マイクロコンピュータ３３によって生成された通信データを室内機４に送信する機能を有する送信装置３８を更に有する。図２は、実施の形態１に係る空気調和システム１が有する空気調和用通信装置３の送信装置３８が、空気調和システム１が有する室内機４に送信する通信データの内容を示す図である。図２に示す通り、送信装置３８は、メモリ３３ａに記憶された設定温度情報と、メモリ３３ａに記憶された設定湿度情報と、温度計３４によって計測された温度を示す計測温度情報と、湿度計３５によって計測された湿度を示す計測湿度情報と、位置検出機構３６によって検出された位置を示す位置情報とを室内機４に送信する機能を有する。
【００１８】
送信装置３８は、設定温度情報、設定湿度情報、計測温度情報、計測湿度情報及び位置情報を室内機４に送信する場合、それらの情報を室内機４に無線で送信する。例えば、送信装置３８は、情報を室内機４に送信する場合、ワイファイ又はブルートゥース（登録商標）によって情報を室内機４に送信する。更に言うと、例えば、送信装置３８は、あらかじめ決められた期間の間隔をおいて情報を室内機４に繰り返し送信する。言い換えると、例えば、送信装置３８は周期的に情報を室内機４に送信する。
【００１９】
空気調和用通信装置３の電源の一例は図示されていない電池であって、例えば電池は空気調和用通信装置３の筐体に収納される。空気調和用通信装置３の筐体に太陽光発電用のパネルが設けられている場合、太陽光発電によって得られた電力が空気調和用通信装置３の電源に供給されてもよい。空気調和用通信装置３が系統電源からの電力を受ける受電部を有している場合、系統電源からの電力が受電部を介して空気調和用通信装置３の電源に供給されてもよい。
【００２０】
室内機４は、空気調和用通信装置３が有する送信装置３８から、設定温度情報、設定湿度情報、計測温度情報、計測湿度情報及び位置情報を受信する受信装置４１を有する。室内機４は、受信装置４１によって受信された設定温度情報、設定湿度情報、計測温度情報、計測湿度情報及び位置情報をもとに冷凍サイクル装置１１を制御する制御装置４２を更に有する。冷凍サイクル装置１１の詳細については、後述する。
【００２１】
具体的には、制御装置４２は、受信装置４１によって受信された位置情報をもとに空気調和用通信装置３の位置を特定する。制御装置４２は、受信装置４１によって受信された設定温度情報、設定湿度情報、計測温度情報及び計測湿度情報をもとに、位置が特定された空気調和用通信装置３の周囲の温度が空気調和用通信装置３に対して設定された温度に近づくと共に、当該周囲の湿度が空気調和用通信装置３に対して設定された湿度に近づくように冷凍サイクル装置１１を制御する。
【００２２】
より具体的には、制御装置４２は、空気調和用通信装置３に対して設定された温度と空気調和用通信装置３の周囲の温度との差があらかじめ決められた第１閾値より大きく、かつ空気調和用通信装置３に対して設定された湿度と空気調和用通信装置３の周囲の湿度との差があらかじめ決められた第２閾値より大きい場合、空気調和用通信装置３の周囲の温度が空気調和用通信装置３に対して設定された温度に近づくと共に、当該周囲の湿度が空気調和用通信装置３に対して設定された湿度に近づくように冷凍サイクル装置１１を制御する。
【００２３】
室内機４は、冷媒と室内機４の外部の空気との熱交換を行う室内熱交換器４３を更に有する。室外機５は、冷媒を圧縮する圧縮機５１と、冷媒と室外機５の外部の空気との熱交換を行う室外熱交換器５２と、室外熱交換器５２からの冷媒の圧力を低下させる膨張機構５３と、四方切換弁５４とを有する。膨張機構５３の一例は、膨張弁である。室内機４及び室外機５は、冷媒の通路である配管１２を有する。
【００２４】
空気調和機２が冷房運転を行う場合、冷媒は、配管１２を通って、圧縮機５１と、四方切換弁５４と、室外熱交換器５２と、膨張機構５３と、室内熱交換器４３と、四方切換弁５４と、圧縮機５１とをこの順に循環して流れる。空気調和機２が暖房運転を行う場合、冷媒は、配管１２を通って、圧縮機５１と、四方切換弁５４と、室内熱交換器４３と、膨張機構５３と、室外熱交換器５２と、四方切換弁５４と、圧縮機５１とをこの順に循環して流れる。冷媒の状態は、冷媒が循環する際に変化する。冷凍サイクル装置１１は、室内熱交換器４３と、圧縮機５１と、室外熱交換器５２と、膨張機構５３と、四方切換弁５４と、配管１２とによって構成される。図１では、空気調和機２が冷房運転を行う場合の冷凍サイクル装置１１が示されている。
【００２５】
上述の通り、室内機４の制御装置４２は、受信装置４１によって受信された設定温度情報、設定湿度情報、計測温度情報、計測湿度情報及び位置情報をもとに冷凍サイクル装置１１を制御する。例えば、制御装置４２は、受信装置４１によって受信された情報をもとに、空気調和用通信装置３の周囲の温度が空気調和用通信装置３に対して設定された温度に近づくと共に、当該周囲の湿度が空気調和用通信装置３に対して設定された湿度に近づくように、冷凍サイクル装置１１を構成する圧縮機５１及び膨張機構５３の動作を制御する。
【００２６】
次に、実施の形態１に係る空気調和システム１が有する空気調和用通信装置３の動作を説明する。図３は、実施の形態１に係る空気調和システム１が有する空気調和用通信装置３の動作の手順を示すフローチャートである。まず、空気調和システム１のユーザは、ユーザが希望する温度及び湿度を示す情報を、入力部３１を用いて空気調和用通信装置３に入力する。つまり、ユーザは、ユーザが希望する温度及び湿度を示す情報を空気調和用通信装置３に対して設定する。
【００２７】
受付部３２は、ユーザによって入力された温度及び湿度を示す情報を受け付ける（Ｓ１）。つまり、受付部３２は、ユーザによって空気調和用通信装置３に対して設定された温度を示す設定温度情報と、ユーザによって空気調和用通信装置３に対して設定された湿度を示す設定湿度情報とを受け付ける（Ｓ１）。メモリ３３ａは、受付部３２によって受け付けられた設定温度情報及び設定湿度情報を記憶する。
【００２８】
ユーザは、入力部３１を用いて希望する温度及び湿度を示す情報を空気調和用通信装置３に入力した後に、空気調和用通信装置３を所持するか、ユーザが所望する場所に空気調和用通信装置３を置く。温度計３４は、空気調和用通信装置３の周囲の温度を計測する（Ｓ２）。湿度計３５は、空気調和用通信装置３の周囲の湿度を計測する（Ｓ３）。位置検出機構３６は、空気調和用通信装置３の位置を検出する（Ｓ４）。メモリ３３ａは、温度計３４によって計測された温度を示す情報と、湿度計３５によって計測された湿度を示す情報と、位置検出機構３６によって検出された位置を示す情報とを更に記憶する。
【００２９】
マイクロコンピュータ３３は、データ生成部３３ｂの機能により、メモリ３３ａに記憶された情報をもとに空気調和用通信装置３から室内機４に送信される通信データを生成する（Ｓ５）。送信装置３８は、マイクロコンピュータ３３によって生成された通信データを室内機４に無線で送信する（Ｓ６）。つまり、ステップＳ６において、送信装置３８は、メモリ３３ａに記憶された設定温度情報と、メモリ３３ａに記憶された設定湿度情報と、温度計３４によって計測された温度を示す計測温度情報と、湿度計３５によって計測された湿度を示す計測湿度情報と、位置検出機構３６によって検出された位置を示す位置情報とを室内機４に無線で送信する。
【００３０】
空気調和用通信装置３は、上述のステップＳ２からステップＳ６までの動作を、例えばあらかじめ決められた期間の間隔をおいて繰り返して行う。上述のステップＳ２からステップＳ４までの各動作が行われる順序は、上述の順序に限定されない。例えば、ステップＳ３、ステップＳ２及びステップＳ４の各動作がこの順に行われてもよいし、ステップＳ４、ステップＳ３及びステップＳ２の各動作がこの順に行われてもよい。ステップＳ２、ステップＳ３及びステップＳ４の二つ以上のステップの動作は、同時に行われてもよい。
【００３１】
次に、実施の形態１に係る空気調和システム１が有する室内機４の動作を説明する。受信装置４１は、空気調和用通信装置３が有する送信装置３８から通信データを受信する。つまり、受信装置４１は、空気調和用通信装置３が有する送信装置３８から、設定温度情報、設定湿度情報、計測温度情報、計測湿度情報及び位置情報を受信する。
【００３２】
制御装置４２は、受信装置４１によって受信された情報をもとに、空気調和用通信装置３の周囲の温度が空気調和用通信装置３に対して設定された温度に近づくと共に、当該周囲の湿度が空気調和用通信装置３に対して設定された湿度に近づくように冷凍サイクル装置１１を制御する。具体的には、制御装置４２は、受信装置４１によって受信された情報をもとに冷凍サイクル装置１１を構成する圧縮機５１及び膨張機構５３の動作を制御する。これにより、当該周囲の温度は空気調和用通信装置３に対して設定された温度に近づき、当該周囲の湿度は空気調和用通信装置３に対して設定された湿度に近づく。
【００３３】
例えば、空気調和用通信装置３に対して設定された温度と空気調和用通信装置３の周囲の温度との差があらかじめ決められた第１閾値より大きく、かつ空気調和用通信装置３に対して設定された湿度と空気調和用通信装置３の周囲の湿度との差があらかじめ決められた第２閾値より大きい場合、制御装置４２は、空気調和用通信装置３の周囲の温度が空気調和用通信装置３に対して設定された温度に近づくと共に、当該周囲の湿度が空気調和用通信装置３に対して設定された湿度に近づくように冷凍サイクル装置１１を制御する。
【００３４】
上述の通り、実施の形態１に係る空気調和システム１では、空気調和用通信装置３は、設定された温度を示す設定温度情報と、設定された湿度を示す設定湿度情報と、温度計３４によって計測された温度を示す計測温度情報と、湿度計３５によって計測された湿度を示す計測湿度情報と、位置検出機構３６によって検出された位置を示す位置情報とを室内機４に無線で送信する機能を有する。室内機４は、空気調和用通信装置３からの情報をもとに、空気調和用通信装置３の周囲の温度が空気調和用通信装置３に対して設定された温度に近づくと共に、当該周囲の湿度が空気調和用通信装置３に対して設定された湿度に近づくように冷凍サイクル装置１１を制御する。
【００３５】
したがって、空気調和システム１は、空気調和用通信装置３の周囲の温度を空気調和用通信装置３に対して設定された温度に近づけることができると共に、当該周囲の湿度を空気調和用通信装置３に対して設定された湿度に近づけることができる。ユーザが空気調和用通信装置３を所持していれば、空気調和システム１は、ユーザの周囲の温度を空気調和用通信装置３に対して設定された温度に近づけることができると共に、ユーザの周囲の湿度を空気調和用通信装置３に対して設定された湿度に近づけることができる。ユーザの周囲は、ユーザを中心にしてユーザからあらかじめ決められた距離の範囲内の空間である。あらかじめ決められた距離の一例は、２メートルである。
【００３６】
ユーザが空気調和用通信装置３を所持していなくても、空気調和用通信装置３がユーザから比較的近い距離の範囲内に置かれた場合、空気調和システム１は、ユーザの周囲の温度を空気調和用通信装置３に対して設定された温度に近づけることができると共に、ユーザの周囲の湿度を空気調和用通信装置３に対して設定された湿度に近づけることができる。比較的近い距離の一例は、１メートルである。すなわち、空気調和システム１は、ユーザが希望する温度及び湿度の空気調和を実現することができる。
【００３７】
空気調和用通信装置３は、設定温度情報、設定湿度情報、計測温度情報、計測湿度情報及び位置情報を周期的に室内機４に送信する。そのため、例えば空気調和用通信装置３を所持するユーザの位置が変化することによって空気調和用通信装置３の周囲の温度及び湿度が変化しても、空気調和システム１は、空気調和用通信装置３の周囲の温度を空気調和用通信装置３に対して設定された温度に近づけることができると共に、当該周囲の湿度を空気調和用通信装置３に対して設定された湿度に近づけることができる。
【００３８】
ユーザによって設定された温度を示す設定温度情報と、ユーザによって設定された湿度を示す設定湿度情報とは、メモリ３３ａに記憶される。そのため、ユーザは、希望する温度及び湿度を示す情報を空気調和用通信装置３に一度入力すれば、希望する温度及び湿度を変更するまで、希望する温度及び湿度を示す情報を空気調和用通信装置３に入力する必要がない。つまり、空気調和用通信装置３は、ユーザが希望する温度及び湿度を示す情報が一度入力されれば、ユーザが希望する温度及び湿度が変更されるまで、ユーザが希望する温度及び湿度を示す情報をユーザに入力させることを省略させることができる。ユーザが希望する温度及び湿度を変更して設定温度情報及び設定湿度情報の内容が変更された場合、送信装置３８は変更後の設定温度情報及び設定湿度情報を室内機４に送信する。
【００３９】
ところで、室内機４がユーザの位置を認識する機能を有している場合がある。その場合、ユーザと室内機４との間に障害物が存在しているとき、室内機４はユーザの位置を認識することができないので、空気調和用通信装置３が存在しなければ、ユーザが所望する空気調和を空気調和機２が行うことは困難である。しかしながら、実施の形態１に係る空気調和システム１は空気調和用通信装置３を有しており、空気調和用通信装置３は、上述の設定温度情報、設定湿度情報、計測温度情報、計測湿度情報及び位置情報を室内機４に送信する。そのため、ユーザと室内機４との間に障害物が存在していても、ユーザが空気調和用通信装置３を所持するか空気調和用通信装置３がユーザから比較的近い距離の範囲内に置かれ、かつ空気調和用通信装置３からの情報が室内機４に届く状況であれば、空気調和機２はユーザが所望する空気調和を行うことができる。
【００４０】
上述した実施の形態１では、空気調和用通信装置３は入力部３１を有しており、ユーザは入力部３１を用いて希望する温度及び湿度を示す情報を空気調和用通信装置３に入力する。しかしながら、空気調和機２の運転を制御する遠隔制御装置が空気調和用通信装置３とは別に設けられている場合、ユーザが希望する温度及び湿度を示す情報は、ユーザによって遠隔制御装置に入力された後に、遠隔制御装置から空気調和用通信装置３に入力されてもよい。
【００４１】
遠隔制御装置は、ユーザの指示にしたがって、空気調和機２に例えば冷房運転又は暖房運転を行わせる装置である。いずれにしても、メモリ３３ａは、設定された温度を示す設定温度情報と、設定された湿度を示す設定湿度情報とを記憶する。空気調和用通信装置３は、遠隔制御装置と一体のものであってもよい。
【００４２】
上述した実施の形態１では、温度計３４及び湿度計３５は計測を常時行う。しかしながら、温度計３４及び湿度計３５は、あらかじめ決められた時間の間隔をおいて計測を繰り返し行ってもよい。つまり、温度計３４及び湿度計３５は計測を周期的に行ってもよい。
【００４３】
空気調和用通信装置３は、空気調和用通信装置３から室内機４への向きを特定する向き特定部を有していてもよい。空気調和用通信装置３が向き特定部を有している場合、送信装置３８は向き特定部によって特定された向きを示す情報も室内機４に無線で送信する。室内機４では、受信装置４１が向きを示す情報を受信し、制御装置４２は、向きを示す情報を用いて空気調和用通信装置３の位置をより正確に特定する。
【００４４】
空気調和用通信装置３から室内機４に送信される位置情報は、空気調和用通信装置３の位置についての誤差の情報を含む場合があるので、制御装置４２は、向きを示す情報を用いることにより、空気調和用通信装置３の位置をより正確に特定することができる。空気調和機２は、空気調和用通信装置３の位置をより正確に特定することにより、空気調和用通信装置３の周囲の温度を空気調和用通信装置３に対して設定された温度に近づけることと、当該周囲の湿度を空気調和用通信装置３に対して設定された湿度に近づけることとをより精度良く行うことができる。向き特定部は、例えば位置検出機構３６の内部に位置する。向き特定部の一例は、加速度センサである。
【００４５】
送信装置３８は、設定温度情報が示す温度と温度計３４によって計測された温度との差があらかじめ決められた第１閾値を超えた場合、又は、設定湿度情報が示す湿度と湿度計３５によって計測された湿度との差があらかじめ決められた第２閾値を超えた場合、設定温度情報、設定湿度情報、計測温度情報、計測湿度情報及び位置情報を室内機４に無線で送信してもよい。その場合、送信装置３８から室内機４への通信データの送信の回数は抑制される。すなわち、その場合、空気調和システム１は、空気調和用通信装置３の周囲の温度を空気調和用通信装置３に対して設定された温度に近づけることができると共に、当該周囲の湿度を空気調和用通信装置３に対して設定された湿度に近づけることができ、かつ送信装置３８から室内機４への情報の送信に係る電力を抑制することができる。
【００４６】
室内機４の制御装置４２は、設定温度情報が示す温度と計測温度情報が示す温度との差が第１閾値を超えた場合、又は、設定湿度情報が示す湿度と計測湿度情報が示す湿度との差が第２閾値を超えた場合、空気調和用通信装置３の周囲の温度が空気調和用通信装置３に対して設定された温度に近づくと共に、当該周囲の湿度が空気調和用通信装置３に対して設定された湿度に近づくように冷凍サイクル装置１１を制御してもよい。
【００４７】
上述した実施の形態１では、メモリ３３ａはマイクロコンピュータ３３に含まれる。しかしながら、メモリ３３ａはマイクロコンピュータ３３に含まれなくてもよい。つまり、メモリ３３ａは、空気調和用通信装置３に含まれていれば、マイクロコンピュータ３３の外に位置していてもよい。上述した実施の形態１では、記憶部３７はマイクロコンピュータ３３の外に位置しているが、記憶部３７はマイクロコンピュータ３３に含まれてもよい。更に言うと、メモリ３３ａ及び記憶部３７の機能はひとつの記憶媒体によって実現されてもよい。
【００４８】
上述のように室内機４がユーザの位置を認識する機能を有する場合があるが、ユーザの位置を認識する機能を有する室内機４は、ユーザの一例である子供を認識することが困難である場合がある。子供は、遠隔制御装置を用いて空気調和機２が行う空気調和を制御することが困難である場合もある。そのため、空気調和用通信装置３は子供に所持されてもよい。空気調和用通信装置３は、ペットに所持されてもよい。設定温度情報及び設定湿度情報は子供の保護者又はペットの飼い主によって入力されてもよい。この場合、室内機４は、子供又はペットに対して設定温度情報及び設定湿度情報をもとにした空気調和を行うことができる。
【００４９】
空気調和用通信装置３が子供又はペットに所持される場合に温度計３４及び湿度計３５が子供又はペットの体温に反応することを防止するために、空気調和用通信装置３の筐体の一部は温度計３４及び湿度計３５と空間により離される。又は、空気調和用通信装置３の筐体の一部と温度計３４及び湿度計３５との間に、断熱材が設けられる。空気調和用通信装置３は、当該一部が子供又はペットに接するように子供又はペットに所持される。
【００５０】
空気調和用通信装置３は、温度計３４と湿度計３５とのうちの一方を有していなくてもよい。空気調和用通信装置３が温度計３４を有していて湿度計３５を有していない場合、空気調和用通信装置３の送信装置３８は、設定温度情報、計測温度情報及び位置情報を室内機４に送信する機能を有する。室内機４の受信装置４１は、送信装置３８から設定温度情報、計測温度情報及び位置情報を受信し、室内機４の制御装置４２は、受信装置４１によって受信された設定温度情報、計測温度情報及び位置情報をもとに冷凍サイクル装置１１を制御する。この場合、空気調和システム１は、空気調和用通信装置３の周囲の温度を空気調和用通信装置３に対して設定された温度に近づけることができる。空気調和用通信装置３が温度計３４を有していて湿度計３５を有していない場合、送信装置３８は、設定温度情報が示す温度と温度計３４によって計測された温度との差が第１閾値を超えた場合、設定温度情報、計測温度情報及び位置情報を室内機４に送信してもよい。
【００５１】
空気調和用通信装置３が温度計３４を有しておらず湿度計３５を有している場合、空気調和用通信装置３の送信装置３８は、設定湿度情報、計測湿度情報及び位置情報を室内機４に送信する機能を有する。室内機４の受信装置４１は、送信装置３８から設定湿度情報、計測湿度情報及び位置情報を受信し、室内機４の制御装置４２は、受信装置４１によって受信された設定湿度情報、計測湿度情報及び位置情報をもとに冷凍サイクル装置１１を制御する。この場合、空気調和システム１は、空気調和用通信装置３の周囲の湿度を空気調和用通信装置３に対して設定された湿度に近づけることができる。空気調和用通信装置３が温度計３４を有しておらず湿度計３５を有している場合、送信装置３８は、設定湿度情報が示す湿度と湿度計３５によって計測された湿度との差が第２閾値を超えた場合、設定湿度情報、計測湿度情報及び位置情報を室内機４に送信してもよい。
【００５２】
上述した実施の形態１では、室内機４は室内熱交換器４３を有し、室外機５は圧縮機５１、室外熱交換器５２、膨張機構５３及び四方切換弁５４を有する。膨張機構５３は、室外機５ではなく室内機４に含められてもよい。このように、冷凍サイクル装置１１の一部は室内機４に含まれ、冷凍サイクル装置１１の残部は室外機５に含まれる。
【００５３】
図４は、実施の形態１に係る空気調和システム１が有する空気調和用通信装置３に含まれる入力部３１、受付部３２、データ生成部３３ｂ、温度計３４、湿度計３５、位置検出機構３６及び送信装置３８を構成する少なくとも一部の構成要素が処理回路４６によって実現される場合の処理回路４６を示す図である。つまり、入力部３１、受付部３２、データ生成部３３ｂ、温度計３４、湿度計３５、位置検出機構３６及び送信装置３８の機能の少なくとも一部は、処理回路４６によって実現されてもよい。
【００５４】
処理回路４６は、専用のハードウェアである。処理回路４６は、例えば、単一回路、複合回路、プログラム化されたプロセッサ、並列プログラム化されたプロセッサ、ＡＳＩＣ（Application  Specific  Integrated  Circuit）、ＦＰＧＡ（Field-Programmable  Gate  Array）、又はこれらを組み合わせたものである。入力部３１、受付部３２、データ生成部３３ｂ、温度計３４、湿度計３５、位置検出機構３６及び送信装置３８の一部は、残部とは別個の専用のハードウェアであってもよい。
【００５５】
図５は、実施の形態１に係る空気調和システム１が有する空気調和用通信装置３に含まれる入力部３１、受付部３２、温度計３４、湿度計３５、位置検出機構３６及び送信装置３８の少なくとも一部の機能がプロセッサ５６によって実現される場合のプロセッサ５６を示す図である。つまり、入力部３１、受付部３２、温度計３４、湿度計３５、位置検出機構３６及び送信装置３８の少なくとも一部の機能は、メモリ５７に格納されるプログラムを実行するプロセッサ５６によって実現されてもよい。プロセッサ５６は、ＣＰＵ（Central  Processing  Unit）、処理装置、演算装置、マイクロプロセッサ、マイクロコンピュータ、又はＤＳＰ（Digital  Signal  Processor）である。図５には、メモリ５７も示されている。
【００５６】
入力部３１、受付部３２、温度計３４、湿度計３５、位置検出機構３６及び送信装置３８の少なくとも一部の機能がプロセッサ５６によって実現される場合、当該一部の機能は、プロセッサ５６と、ソフトウェア、ファームウェア、又はソフトウェアとファームウェアとの組み合わせにより実現される。ソフトウェア又はファームウェアはプログラムとして記述され、メモリ５７に格納される。プロセッサ５６は、メモリ５７に記憶されたプログラムを読み出して実行することにより、入力部３１、受付部３２、温度計３４、湿度計３５、位置検出機構３６及び送信装置３８の少なくとも一部の機能を実現する。
【００５７】
すなわち、入力部３１、受付部３２、温度計３４、湿度計３５、位置検出機構３６及び送信装置３８の少なくとも一部の機能がプロセッサ５６によって実現される場合、空気調和用通信装置３は、入力部３１、受付部３２、温度計３４、湿度計３５、位置検出機構３６及び送信装置３８の一部によって実行されるステップが結果的に実行されることになるプログラムを格納するためのメモリ５７を有する。メモリ５７に格納されるプログラムは、入力部３１、受付部３２、温度計３４、湿度計３５、位置検出機構３６及び送信装置３８の一部が実行する手順又は方法をコンピュータに実行させるものであるともいえる。
【００５８】
メモリ５７は、例えば、ＲＡＭ、ＲＯＭ、フラッシュメモリ、ＥＰＲＯＭ、ＥＥＰＲＯＭ等の不揮発性もしくは揮発性の半導体メモリ、磁気ディスク、フレキシブルディスク、光ディスク、コンパクトディスク、ミニディスク又はＤＶＤ等である。
【００５９】
入力部３１、受付部３２、データ生成部３３ｂ、温度計３４、湿度計３５、位置検出機構３６及び送信装置３８の複数の機能について、当該複数の機能の一部が専用のハードウェアで実現され、当該複数の機能の残部がソフトウェア又はファームウェアで実現されてもよい。このように、入力部３１、受付部３２、データ生成部３３ｂ、温度計３４、湿度計３５、位置検出機構３６及び送信装置３８の複数の機能は、ハードウェア、ソフトウェア、ファームウェア、又はこれらの組み合わせによって実現することができる。
【００６０】
室内機４が有する受信装置４１及び制御装置４２の少なくとも一部の機能は、処理回路４６と同じ機能を有する処理回路によって実現されてもよい。又は、受信装置４１及び制御装置４２の少なくとも一部の機能は、プロセッサ５６と同じ機能を有するプロセッサによって実現されてもよい。受信装置４１及び制御装置４２の少なくとも一部の機能がプロセッサによって実現される場合、室内機４は、受信装置４１及び制御装置４２の少なくとも一部によって実行されるステップが結果的に実行されることになるプログラムを格納するためのメモリを有する。当該メモリは、メモリ５７と同じ機能を有するメモリである。
【００６１】
実施の形態２．
次に、実施の形態２に係る空気調和システム１Ａの構成を説明する。図６は、実施の形態２に係る空気調和システム１Ａの構成を示す図である。空気調和システム１Ａは、空気調和機２Ａと、第１空気調和用通信装置３Ａと、第２空気調和用通信装置３Ｂとを有する。空気調和機２Ａは、室内機４Ａと、室外機５とを有する。第１空気調和用通信装置３Ａ及び第２空気調和用通信装置３Ｂの各々は、空気調和機２Ａと有線で接続されていない。第１空気調和用通信装置３Ａ及び第２空気調和用通信装置３Ｂの各々は、ワイヤレスの端末装置である。更に言うと、第１空気調和用通信装置３Ａ及び第２空気調和用通信装置３Ｂの各々は、空気調和機２Ａに空気調和を行わせるための情報を、空気調和機２Ａを構成する室内機４Ａに無線で送信することができる装置である。
【００６２】
空気調和用通信装置について、実施の形態１に係る空気調和システム１はひとつの空気調和用通信装置３しか有さないが、実施の形態２に係る空気調和システム１Ａは第１空気調和用通信装置３Ａ及び第２空気調和用通信装置３Ｂを有する。つまり、空気調和システム１Ａが二つの空気調和用通信装置を有する点が、実施の形態２と実施の形態１とで異なる。実施の形態２では、実施の形態１と異なる点を主に説明する。
【００６３】
第１空気調和用通信装置３Ａは、実施の形態１の空気調和用通信装置３と同様に、入力部３１、受付部３２、受付部３２によって受け付けられた情報を記憶するメモリ４０ａを有するマイクロコンピュータ３９Ａ、温度計３４、湿度計３５、位置検出機構３６、記憶部３７及び送信装置３８を有する。第２空気調和用通信装置３Ｂは、入力部３１、受付部３２、受付部３２によって受け付けられた情報を記憶するメモリ４０ｂを有するマイクロコンピュータ３９Ｂ、温度計３４、湿度計３５、位置検出機構３６、記憶部３７及び送信装置３８を有する。入力部３１、受付部３２、温度計３４、湿度計３５、位置検出機構３６及び記憶部３７については、実施の形態１において説明したので実施の形態２では説明を省略する。
【００６４】
メモリ４０ａは、実施の形態１のメモリ３３ａが有する機能を有すると共に、第１識別子を示す情報を記憶する。第１識別子を示す情報は、第１空気調和用通信装置３Ａを識別する情報である。メモリ４０ｂは、メモリ３３ａが有する機能を有すると共に、第２識別子を示す情報を記憶する。第２識別子を示す情報は、第２空気調和用通信装置３Ｂを識別する情報である。
【００６５】
第１識別子は、第１空気調和用通信装置３Ａを一意に識別することができるものであれば、どのようなものであってもよい。第２識別子も、第２空気調和用通信装置３Ｂを一意に識別することができるものであれば、どのようなものであってもよい。例えば、第１識別子及び第２識別子の各々は、数字及びアルファベットの一方又は双方によって構成されてもよい。
【００６６】
第１識別子を示す情報は、メモリ４０ａにあらかじめ格納されていてもよいし、例えば第１空気調和用通信装置３Ａを所持するユーザが希望する温度及び湿度を示す情報を第１空気調和用通信装置３Ａに入力する際に第１空気調和用通信装置３Ａに入力され、受付部３２によって受け付けられた後にメモリ４０ａに格納されてもよい。第２識別子を示す情報は、メモリ４０ｂにあらかじめ格納されていてもよいし、例えば第２空気調和用通信装置３Ｂを所持するユーザが希望する温度及び湿度を示す情報を第２空気調和用通信装置３Ｂに入力する際に第２空気調和用通信装置３Ｂに入力され、受付部３２によって受け付けられた後にメモリ４０ｂに格納されてもよい。
【００６７】
図７は、実施の形態２に係る空気調和システム１Ａが有する第１空気調和用通信装置３Ａの送信装置３８が、空気調和システム１Ａが有する室内機４Ａに送信する通信データの内容を示す図である。図７に示す通り、第１空気調和用通信装置３Ａの送信装置３８は、メモリ４０ａに記憶された第１識別子を示す情報と、メモリ４０ａに記憶された設定温度情報と、メモリ４０ａに記憶された設定湿度情報と、第１空気調和用通信装置３Ａの温度計３４によって計測された温度を示す計測温度情報と、第１空気調和用通信装置３Ａの湿度計３５によって計測された湿度を示す計測湿度情報と、第１空気調和用通信装置３Ａの位置検出機構３６によって検出された位置を示す位置情報とを室内機４Ａに送信する機能を有する。
【００６８】
第２空気調和用通信装置３Ｂの送信装置３８は、第１空気調和用通信装置３Ａの送信装置３８と同様に、メモリ４０ｂに記憶された第２識別子を示す情報と、メモリ４０ｂに記憶された設定温度情報と、メモリ４０ｂに記憶された設定湿度情報と、第２空気調和用通信装置３Ｂの温度計３４によって計測された温度を示す計測温度情報と、第２空気調和用通信装置３Ｂの湿度計３５によって計測された湿度を示す計測湿度情報と、第２空気調和用通信装置３Ｂの位置検出機構３６によって検出された位置を示す位置情報とを室内機４Ａに送信する機能を有する。
【００６９】
室内機４Ａは、受信装置４１Ａと、制御装置４２Ａとを有する。受信装置４１Ａは、第１空気調和用通信装置３Ａが有する送信装置３８から、第１識別子を示す情報と、設定温度情報と、設定湿度情報と、計測温度情報と、計測湿度情報と、位置情報とを受信する。加えて、受信装置４１Ａは、第２空気調和用通信装置３Ｂが有する送信装置３８から、第２識別子を示す情報と、設定温度情報と、設定湿度情報と、計測温度情報と、計測湿度情報と、位置情報とを受信する。
【００７０】
制御装置４２Ａは、第１空気調和用通信装置３Ａの設定温度情報が示す温度と第１空気調和用通信装置３Ａの計測温度情報が示す温度との差である第１の差を算出する。制御装置４２Ａは、第２空気調和用通信装置３Ｂの設定温度情報が示す温度と第２空気調和用通信装置３Ｂの計測温度情報が示す温度との差である第２の差を算出する。制御装置４２Ａは、第１の差と第２の差とを比較する。
【００７１】
制御装置４２Ａは、第１空気調和用通信装置３Ａの設定湿度情報が示す湿度と第１空気調和用通信装置３Ａの計測湿度情報が示す湿度との差である第３の差を算出する。制御装置４２Ａは、第２空気調和用通信装置３Ｂの設定湿度情報が示す湿度と第２空気調和用通信装置３Ｂの計測湿度情報が示す湿度との差である第４の差を算出する。制御装置４２Ａは、第３の差と第４の差とを比較する。
【００７２】
制御装置４２Ａは、第１の差が第２の差より大きい場合、第１空気調和用通信装置３Ａからの設定温度情報、設定湿度情報、計測温度情報、計測湿度情報及び位置情報をもとに冷凍サイクル装置１１を制御する。制御装置４２Ａは、第１の差が第２の差以下である場合、第２空気調和用通信装置３Ｂからの設定温度情報、設定湿度情報、計測温度情報、計測湿度情報及び位置情報をもとに冷凍サイクル装置１１を制御する。
【００７３】
制御装置４２Ａは、第３の差が第４の差より大きい場合、第１空気調和用通信装置３Ａからの設定温度情報、設定湿度情報、計測温度情報、計測湿度情報及び位置情報をもとに冷凍サイクル装置１１を制御する。制御装置４２Ａは、第３の差が第４の差以下である場合、第２空気調和用通信装置３Ｂからの設定温度情報、設定湿度情報、計測温度情報、計測湿度情報及び位置情報をもとに冷凍サイクル装置１１を制御する。
【００７４】
つまり、制御装置４２Ａは、第１空気調和用通信装置３Ａと第２空気調和用通信装置３Ｂとのうちで、設定された温度と測定された温度との差が大きい方の空気調和用通信装置を優先し、優先された空気調和用通信装置の周囲の温度を優先された空気調和用通信装置に対して設定された温度に近づける制御を行う。制御装置４２Ａは、第１空気調和用通信装置３Ａと第２空気調和用通信装置３Ｂとのうちで、設定された湿度と測定された湿度との差が大きい方の空気調和用通信装置を優先し、優先された空気調和用通信装置の周囲の湿度を優先された空気調和用通信装置に対して設定された湿度に近づける制御を行う。
【００７５】
制御装置４２Ａは、第１の差が第２の差より大きく、かつ第３の差が第４の差以下である場合、第１の差と第２の差との差を第１の差で除した値である第５の値を算出すると共に、第３の差と第４の差との差を第３の差で除した値である第６の値を算出する。制御装置４２Ａは、第５の値が第６の値より大きい場合、第１空気調和用通信装置３Ａからの設定温度情報、設定湿度情報、計測温度情報、計測湿度情報及び位置情報をもとに冷凍サイクル装置１１を制御する。制御装置４２Ａは、第５の値が第６の値以下である場合、第２空気調和用通信装置３Ｂからの設定温度情報、設定湿度情報、計測温度情報、計測湿度情報及び位置情報をもとに冷凍サイクル装置１１を制御する。
【００７６】
又は、制御装置４２Ａは、第１の差が第２の差より大きく、かつ第３の差が第４の差以下である場合、第１の差と第２の差との差を第２の差で除した値である第５の値を算出すると共に、第３の差と第４の差との差を第４の差で除した値である第６の値を算出する。制御装置４２Ａは、第５の値が第６の値より大きい場合、第１空気調和用通信装置３Ａからの設定温度情報、設定湿度情報、計測温度情報、計測湿度情報及び位置情報をもとに冷凍サイクル装置１１を制御する。制御装置４２Ａは、第５の値が第６の値以下である場合、第２空気調和用通信装置３Ｂからの設定温度情報、設定湿度情報、計測温度情報、計測湿度情報及び位置情報をもとに冷凍サイクル装置１１を制御する。
【００７７】
すなわち、室内機４Ａは、識別子をもとに第１空気調和用通信装置３Ａと第２空気調和用通信装置３Ｂとを識別する。空気調和機２Ａは、室内機４Ａによって識別された結果を用いて、第１空気調和用通信装置３Ａ及び第２空気調和用通信装置３Ｂのいずれについても、設定された温度と周囲の温度との差を比較的小さくして空気調和を行うことができると共に、設定された湿度と周囲の湿度との差を比較的小さくして空気調和を行うことができる。
【００７８】
第１識別子を示す情報は、第１空気調和用通信装置３Ａのメモリ４０ａにあらかじめ記憶されていてもよい。加えて、第１識別子を示す情報は、第１空気調和用通信装置３Ａの筐体に付けられていてもよい。第２識別子を示す情報は、第２空気調和用通信装置３Ｂのメモリ４０ｂにあらかじめ記憶されていてもよい。加えて、第２識別子を示す情報は、第２空気調和用通信装置３Ｂの筐体に付けられていてもよい。
【００７９】
又は、ユーザが、実施の形態１において説明した遠隔制御装置を用いて、第１識別子を示す情報を第１空気調和用通信装置３Ａのメモリ４０ａに記憶させ、第２識別子を示す情報を第２空気調和用通信装置３Ｂのメモリ４０ｂに記憶させてもよい。室内機４Ａは、第１識別子及び第２識別子の各々を示す情報を保持してもよい。
【００８０】
第１空気調和用通信装置３Ａと第２空気調和用通信装置３Ｂとのうちの一方が、他方よりあらかじめ優先されていてもよい。その場合、室内機４Ａの制御装置４２Ａは、優先されている空気調和用通信装置からの設定温度情報、設定湿度情報、計測温度情報、計測湿度情報及び位置情報をもとに冷凍サイクル装置１１を制御する。
【００８１】
上述した実施の形態２では、第１空気調和用通信装置３Ａ及び第２空気調和用通信装置３Ｂの各々は温度計３４及び湿度計３５を有する。しかしながら、第１空気調和用通信装置３Ａ及び第２空気調和用通信装置３Ｂの各々は、温度計３４を有していて湿度計３５を有していなくてもよい。又は、第１空気調和用通信装置３Ａ及び第２空気調和用通信装置３Ｂの各々は、温度計３４を有しておらず湿度計３５を有していてもよい。
【００８２】
第１空気調和用通信装置３Ａ及び第２空気調和用通信装置３Ｂの各々が温度計３４を有していて湿度計３５を有していない場合、第１空気調和用通信装置３Ａの送信装置３８は、第１識別子を示す情報、設定温度情報、計測温度情報及び位置情報を室内機４Ａに送信する。第２空気調和用通信装置３Ｂの送信装置３８は、第２識別子を示す情報、設定温度情報、計測温度情報及び位置情報を室内機４Ａに送信する。室内機４Ａの受信装置４１Ａは、第１空気調和用通信装置３Ａ及び第２空気調和用通信装置３Ｂの各々の送信装置３８から、識別子を示す情報、設定温度情報、計測温度情報及び位置情報を受信する。
【００８３】
室内機４Ａの制御装置４２Ａは、第１空気調和用通信装置３Ａの設定温度情報が示す温度と第１空気調和用通信装置３Ａの計測温度情報が示す温度との差である第１の差を算出する。制御装置４２Ａは、第２空気調和用通信装置３Ｂの設定温度情報が示す温度と第２空気調和用通信装置３Ｂの計測温度情報が示す温度との差である第２の差を算出する。制御装置４２Ａは、第１の差と第２の差とを比較する。
【００８４】
制御装置４２Ａは、第１の差が第２の差より大きい場合、第１空気調和用通信装置３Ａからの設定温度情報、計測温度情報及び位置情報をもとに冷凍サイクル装置１１を制御する。制御装置４２Ａは、第１の差が第２の差以下である場合、第２空気調和用通信装置３Ｂからの設定温度情報、計測温度情報及び位置情報をもとに冷凍サイクル装置１１を制御する。
【００８５】
第１空気調和用通信装置３Ａ及び第２空気調和用通信装置３Ｂの各々が温度計３４を有していて湿度計３５を有していない場合、第１空気調和用通信装置３Ａの送信装置３８は、第１空気調和用通信装置３Ａの設定温度情報が示す温度と第１空気調和用通信装置３Ａの温度計３４によって計測された温度との差があらかじめ決められた第１閾値を超えたとき、第１識別子を示す情報、設定温度情報、計測温度情報及び位置情報を室内機４Ａに送信してもよい。同様に、第１空気調和用通信装置３Ａ及び第２空気調和用通信装置３Ｂの各々が温度計３４を有していて湿度計３５を有していない場合、第２空気調和用通信装置３Ｂの送信装置３８は、第２空気調和用通信装置３Ｂの設定温度情報が示す温度と第２空気調和用通信装置３Ｂの温度計３４によって計測された温度との差があらかじめ決められた第１閾値を超えたとき、第２識別子を示す情報、設定温度情報、計測温度情報及び位置情報を室内機４Ａに送信してもよい。
【００８６】
第１空気調和用通信装置３Ａ及び第２空気調和用通信装置３Ｂの各々が温度計３４を有しておらず湿度計３５を有している場合、第１空気調和用通信装置３Ａの送信装置３８は、第１識別子を示す情報、設定湿度情報、計測湿度情報及び位置情報を室内機４Ａに送信する。第２空気調和用通信装置３Ｂの送信装置３８は、第２識別子を示す情報、設定湿度情報、計測湿度情報及び位置情報を室内機４Ａに送信する。室内機４Ａの受信装置４１Ａは、第１空気調和用通信装置３Ａ及び第２空気調和用通信装置３Ｂの各々の送信装置３８から、識別子を示す情報、設定湿度情報、計測湿度情報及び位置情報を受信する。
【００８７】
室内機４Ａの制御装置４２Ａは、第１空気調和用通信装置３Ａの設定湿度情報が示す湿度と第１空気調和用通信装置３Ａの計測湿度情報が示す湿度との差である第３の差を算出する。制御装置４２Ａは、第２空気調和用通信装置３Ｂの設定湿度情報が示す湿度と第２空気調和用通信装置３Ｂの計測湿度情報が示す湿度との差である第４の差を算出する。制御装置４２Ａは、第３の差と第４の差とを比較する。
【００８８】
制御装置４２Ａは、第３の差が第４の差より大きい場合、第１空気調和用通信装置３Ａからの設定湿度情報、計測湿度情報及び位置情報をもとに冷凍サイクル装置１１を制御する。制御装置４２Ａは、第３の差が第４の差以下である場合、第２空気調和用通信装置３Ｂからの設定湿度情報、計測湿度情報及び位置情報をもとに冷凍サイクル装置１１を制御する。
【００８９】
第１空気調和用通信装置３Ａ及び第２空気調和用通信装置３Ｂの各々が温度計３４を有しておらず湿度計３５を有している場合、第１空気調和用通信装置３Ａの送信装置３８は、第１空気調和用通信装置３Ａの設定湿度情報が示す湿度と第１空気調和用通信装置３Ａの湿度計３５によって計測された湿度との差があらかじめ決められた第２閾値を超えたとき、第１識別子を示す情報、設定湿度情報、計測湿度情報及び位置情報を室内機４Ａに送信してもよい。同様に、第１空気調和用通信装置３Ａ及び第２空気調和用通信装置３Ｂの各々が温度計３４を有しておらず湿度計３５を有している場合、第２空気調和用通信装置３Ｂの送信装置３８は、第２空気調和用通信装置３Ｂの設定湿度情報が示す湿度と第２空気調和用通信装置３Ｂの湿度計３５によって計測された湿度との差があらかじめ決められた第２閾値を超えたとき、第２識別子を示す情報、設定湿度情報、計測湿度情報及び位置情報を室内機４Ａに送信してもよい。
【００９０】
上述した実施の形態２では、空気調和システム１Ａは第１空気調和用通信装置３Ａ及び第２空気調和用通信装置３Ｂの２個の空気調和用通信装置を有する。しかしながら、空気調和システム１Ａは３個以上の空気調和用通信装置を有してもよい。空気調和システム１Ａが３個以上の空気調和用通信装置を有する場合、制御装置４２Ａは、複数の空気調和用通信装置のうちで、設定された温度と測定された温度との差が一番大きい空気調和用通信装置を特定し、特定した空気調和用通信装置の周囲の温度を特定した空気調和用通信装置に対して設定された温度に近づける制御を行う。つまり、制御装置４２Ａは、複数の空気調和用通信装置のうちで、設定された温度と測定された温度との差が一番大きい空気調和用通信装置を特定し、特定した空気調和用通信装置からの設定温度情報、設定湿度情報、計測温度情報、計測湿度情報及び位置情報をもとに冷凍サイクル装置１１を制御する。
【００９１】
空気調和システム１Ａが３個以上の空気調和用通信装置を有する場合、制御装置４２Ａは、複数の空気調和用通信装置のうちで、設定された湿度と測定された湿度との差が一番大きい空気調和用通信装置を特定し、特定した空気調和用通信装置の周囲の湿度を特定した空気調和用通信装置に対して設定された湿度に近づける制御を行う。つまり、制御装置４２Ａは、複数の空気調和用通信装置のうちで、設定された湿度と測定された湿度との差が一番大きい空気調和用通信装置を特定し、特定した空気調和用通信装置からの設定温度情報、設定湿度情報、計測温度情報、計測湿度情報及び位置情報をもとに冷凍サイクル装置１１を制御する。
【００９２】
空気調和システム１Ａが３個以上の空気調和用通信装置を有する場合、複数の空気調和用通信装置のうちで、設定された温度と測定された温度との差が一番大きい空気調和用通信装置と、設定された湿度と測定された湿度との差が一番大きい空気調和用通信装置とが異なる場合がある。その場合、制御装置４２Ａは、設定された温度と測定された温度との差が一番大きい空気調和用通信装置が第１空気調和用通信装置３Ａであると仮定し、設定された湿度と測定された湿度との差が一番大きい空気調和用通信装置を第２空気調和用通信装置３Ｂであると仮定する。
【００９３】
制御装置４２Ａは、第１空気調和用通信装置３Ａの設定温度情報が示す温度と第１空気調和用通信装置３Ａの計測温度情報が示す温度との差である第７の差を算出する。制御装置４２Ａは、第７の差を第１空気調和用通信装置３Ａの設定温度情報が示す温度で除して第８の値を算出する。制御装置４２Ａは、第２空気調和用通信装置３Ｂの設定湿度情報が示す湿度と第２空気調和用通信装置３Ｂの計測湿度情報が示す湿度との差である第９の差を算出する。制御装置４２Ａは、第９の差を第２空気調和用通信装置３Ｂの設定湿度情報が示す湿度で除して第１０の値を算出する。
【００９４】
制御装置４２Ａは、第８の値が第１０の値より大きい場合、第１空気調和用通信装置３Ａからの設定温度情報、設定湿度情報、計測温度情報、計測湿度情報及び位置情報をもとに冷凍サイクル装置１１を制御する。制御装置４２Ａは、第８の値が第１０の値以下である場合、第２空気調和用通信装置３Ｂからの設定温度情報、設定湿度情報、計測温度情報、計測湿度情報及び位置情報をもとに冷凍サイクル装置１１を制御する。これにより、空気調和機２Ａは、複数の空気調和用通信装置のいずれについても、設定された温度と周囲の温度との差を比較的小さくして空気調和を行うことができると共に、設定された湿度と周囲の湿度との差を比較的小さくして空気調和を行うことができる。
【００９５】
室内機４Ａが有する受信装置４１Ａ及び制御装置４２Ａの少なくとも一部の機能は、実施の形態１において説明した処理回路４６と同じ機能を有する処理回路によって実現されてもよい。又は、受信装置４１Ａ及び制御装置４２Ａの少なくとも一部の機能は、実施の形態１において説明したプロセッサ５６と同じ機能を有するプロセッサによって実現されてもよい。受信装置４１Ａ及び制御装置４２Ａの少なくとも一部の機能がプロセッサによって実現される場合、室内機４Ａは、受信装置４１Ａ及び制御装置４２Ａの少なくとも一部によって実行されるステップが結果的に実行されることになるプログラムを格納するためのメモリを有する。当該メモリは、実施の形態１において説明したメモリ５７と同じ機能を有するメモリである。
【００９６】
以上の実施の形態に示した構成は、本発明の内容の一例を示すものであり、別の公知の技術と組み合わせることも可能であるし、本発明の要旨を逸脱しない範囲で、構成の一部を省略又は変更することも可能である。
【符号の説明】
【００９７】
１，１Ａ  空気調和システム、２，２Ａ  空気調和機、３  空気調和用通信装置、３Ａ  第１空気調和用通信装置、３Ｂ  第２空気調和用通信装置、４，４Ａ  室内機、５  室外機、１１  冷凍サイクル装置、１２  配管、３１  入力部、３２  受付部、３３，３９Ａ，３９Ｂ  マイクロコンピュータ、３３ａ，４０ａ，４０ｂ，５７  メモリ、３３ｂ  データ生成部、３４  温度計、３５  湿度計、３６  位置検出機構、３７  記憶部、３８  送信装置、４１，４１Ａ  受信装置、４２，４２Ａ  制御装置、４３  室内熱交換器、４６  処理回路、５１  圧縮機、５２  室外熱交換器、５３  膨張機構、５４  四方切換弁、５６  プロセッサ。
【図１】
0006644189.tif 000002
【図２】
0006644189.tif 000003
【図３】
0006644189.tif 000004
【図４】
0006644189.tif 000005
【図５】
0006644189.tif 000006
【図６】
0006644189.tif 000007
【図７】
0006644189.tif 000008